(57)【特許請求の範囲】
【請求項１】
保液性を有する素材によって形成された、五指の指先までの全体と手の甲と手の平とを包む形状から成る手袋部と、
前記手袋部における指を覆う部分の途中に、該指を覆う部分の周方向に沿って形成された、該指の指先を包む部分を切り取るための切り取り線と、
を備えるハンドマスク。
【請求項２】
請求項１に記載のハンドマスクであって、
前記手袋部に液体が染みこんでいる、
ハンドマスク。
【請求項３】
請求項１又は２に記載のハンドマスクであって、
前記手袋部の外側に配設された、防液性を有する素材によって形成された外装部、
をさらに備えるハンドマスク。
【請求項４】
請求項１から３のいずれかに記載のハンドマスクであって、
前記手袋部における指を覆う部分に形成された蛇腹部、
をさらに備えるハンドマスク。
【請求項５】
請求項１から４のいずれかに記載のハンドマスクであって、
前記手袋部において、手首側から指先側に亘って形成された、取り外し用切り取り線、
をさらに備えるハンドマスク。
【請求項６】
請求項１から５のいずれかに記載のハンドマスクであって、
前記手袋部における、手の平、あるいは、手の甲を覆う部分に形成された開口部、
をさらに備えるハンドマスク。
【請求項７】
請求項１から６のいずれかに記載のハンドマスクであって、
前記手袋部の外側に配設された、防液性を有する素材によって形成された外装部と、
前記外装部における、手の平、あるいは、手の甲を覆う部分に形成された外装側開口部と、
をさらに備えるハンドマスク。
【請求項８】
請求項１から７のいずれかに記載のハンドマスクであって、
前記手袋部に、液体が染みこんでおり、
前記手袋部の外側に配設された、防液性を有する素材によって形成された外装部と、
前記外装部の開口端部を閉じる閉鎖部と、
をさらに備えるハンドマスク。
【発明の詳細な説明】
【技術分野】
【０００１】
本発明は、手肌のスキンケア等に用いられるハンドマスクに関する。
【背景技術】
【０００２】
手肌のスキンケア用品として、不織布を手袋型に成形し、これに美容効果を有する液体（美容料、化粧料、薬剤、等）を染みこませたもの（所謂、「美容用のハンドマスク」）が提案されている（例えば、特許文献１〜３参照）。この美容用のハンドマスクにおいては、これを手にはめることによって手肌の全体に美容料等を行き渡らせることができる。
【先行技術文献】
【特許文献】
【０００３】
【特許文献１】特開２０１４−１３２１２６号公報
【特許文献２】特開２０１１−０６３５７５号公報
【特許文献３】特開２００７−１５４３９９号公報
【発明の概要】
【発明が解決しようとする課題】
【０００４】
ハンドマスクで十分な効果を得るためには、手にハンドマスクをはめた状態をしばらく維持して、これに染みこんでいる美容料等を十分長い時間手肌に接触させておく必要がある。ところが、ハンドマスクを手にはめている状態では手を使うことができない。したがって、この待ち時間の間、ハンドマスクの使用者は何もすることができず、ストレスを感じることが多かった。
【０００５】
本発明が解決しようとする課題は、ハンドマスクの使用者が、ハンドマスクを手にはめた状態の待ち時間を有効に利用することができるようにして、使用者がストレスを感じること無く手肌のスキンケア等を行うことができることを可能とする技術を提供することである。
【課題を解決するための手段】
【０００７】
上記課題を解決するために成された本発明に係るハンドマスクは、
保液性を有する素材によって形成された、五指の指先までの全体と手の甲と手の平とを包む形状から成る手袋部と、
前記手袋部における指を覆う部分の途中に、該指を覆う部分の周方向に沿って形成された、該指の指先を包む部分を切り取るための切り取り線と、
を備える。
【０００８】
上記ハンドマスクにおいて、「保液性を有する素材」は、液体を保持することができる素材であり、具体的には例えば、不織布、紙、脱脂綿、等により形成することができる。また、第１の態様および第２の態様において、「指先」は、少なくとも爪の全体を含めばよい。例えば、爪先から爪の根元までの部分であってもよいし、爪先から第１関節までの部分であってもよい。また、第２の態様において、「切り取り線」は、具体的には例えば、ミシン目（連続した小孔）、折り目、厚み方向の途中まで入った切れ目、切り込み、他の部分よりも厚みを薄くした薄肉部、等によって実現することができる。
【０００９】
本発明に係るハンドマスクにおいては、液体（例えば、美容効果や薬用効果等を有する液体（具体的には例えば、美容料、化粧料、薬剤、等））を手袋部に染みこませて、これを手にはめておくことで、手肌に当該液体を接触させてスキンケア効果等を期待できる。
特に、第１の態様では、手袋部が指先を露出させる形状となっている。また、第２の態様では、手袋部に切り取り線が形成されており、これに沿って指先を包む部分を切り取ることによって、指先を露出させることができる。したがって、これらの構成によると、液体が染みこんだ手袋部を手にはめた状態の待ち時間において、使用者は指先を自由に使うことができる。例えば、使用者は、当該待ち時間に、爪につけ爪やマニキュア等を施したり、携帯情報端末のタッチパネル等を操作することができる。このように、このハンドマスクによると、使用者が、当該待ち時間を有効に利用することができる。これによって、使用者が、ストレスを感じること無く手肌のスキンケア等を行うことができる。
【００１０】
好ましくは、本発明に係るハンドマスクにおいて、
前記手袋部に液体が染みこんでいる。
【００１１】
ここで、手袋部に染みこむ「液体」は、例えば、美容効果や薬用効果等を有する各種の液体（具体的には例えば、美容料、化粧料、薬剤）等である。
この構成によると、手袋部に液体が染みこんでいるので、使用者が手袋部に液体を染みこませる作業を行う必要がない。
【００１２】
好ましくは、本発明に係るハンドマスクにおいて、
前記手袋部の外側に配設された、防液性を有する素材によって形成された外装部、
をさらに備える。
【００１３】
ここで、「防液性を有する素材」は、液体が染み通るのを防ぐことができる素材であり、具体的には例えば、ビニル等により形成することができる。
この構成によると、手袋部の外側に、防液性を有する素材によって形成された外装部が配設されているので、手袋部に染みこませた液体が揮発しにくい。したがって、当該液体を手肌に十分に接触させることが可能となり、特に高いスキンケア効果等を期待できる。
【００１４】
好ましくは、本発明に係るハンドマスクにおいて、
前記手袋部における指を覆う部分に形成された蛇腹部、
をさらに備える。
【００１５】
この構成によると、蛇腹部を伸縮させることにより、手袋部から指先をどれだけ露出させるかを、使用者が自由に調整することができる。また、この構成によると、指の長さが異なる様々な使用者に対応することができる。
【００１６】
好ましくは、本発明に係るハンドマスクにおいて、
前記手袋部において、手首側から指先側に亘って形成された、取り外し用切り取り線、
をさらに備える。
【００１７】
ここにおいて、「取り外し用切り取り線」は、具体的には例えば、ミシン目（連続した小孔）、折り目、厚み方向の途中まで入った切れ目、切り込み、他の部分よりも厚みを薄くした薄肉部、等によって実現することができる。
この構成によると、取り外し用切り取り線に沿って手袋部を切ることによって、手袋部を手から取り外すことができる。したがって、液体が染みこんだ手袋部を手にはめた状態の待ち時間に、爪につけ爪やマニキュア等を施した場合に、つけ爪やマニキュアに手袋部を触れさせることなく、手袋部を外すことができる。
【００１８】
好ましくは、本発明に係るハンドマスクにおいて、
前記手袋部における、手の平、あるいは、手の甲を覆う部分に形成された開口部、
をさらに備える。
【００１９】
この構成によると、使用者は、例えば、手袋部を、開口部が手の平に配置されるような格好で手にはめて、液体を手の平に取って手を揉むことによって、当該液体を、開口部を介して手肌の全体に接触させるとともに、手袋部に染みこませることができる。
【００２０】
好ましくは、本発明に係るハンドマスクにおいて、
前記手袋部の外側に配設された、防液性を有する素材によって形成された外装部と、
前記外装部における、手の平、あるいは、手の甲を覆う部分に形成された外装側開口部と、
をさらに備える。
【００２１】
この構成によると、液体を外装側開口部から注入することによって、当該液体を、開口部を介して手袋部の全体に速やかに染みこませることができる。具体的には例えば、使用者は、外側に外装部が配設された手袋部を、外装側開口部が手の平に配置されるような格好で手にはめて、液体を手の平に取って手を揉むことによって、当該液体を、開口部を介して手袋部に染みこませることができる。
【００２２】
好ましくは、本発明に係るハンドマスクにおいて、
前記手袋部に、液体が染みこんでおり、
前記手袋部の外側に配設された、防液性を有する素材によって形成された外装部と、
前記外装部の開口端部を閉じる閉鎖部と、
をさらに備える。
【００２３】
この構成によると、手袋部を覆う外装部において開口端部（具体的には例えば、外装部における手首側の開口端部、また、外装部における指先側の端部が開口している場合は、当該指先側の開口端部）が閉鎖部によって閉じられており、使用者が、ハンドマスクを使用する際に、閉鎖部を破って手袋部を着用する。この構成によると、使用者がハンドマスクを使用するまでに手袋部に染みこんだ液体が揮発してしまうことがない。
【発明の効果】
【００２４】
本発明に係るハンドマスクによると、手袋部から指先を露出させることができるようになっているので、ハンドマスクを手にはめた状態の待ち時間を、使用者が有効に利用することができる。これによって、使用者が、ストレスを感じること無く手肌のスキンケア等を行うことができる。
【図面の簡単な説明】
【００２５】
【図１】第１実施形態に係るハンドマスクの概略図。
【図２】第２実施形態に係るハンドマスクの概略図。
【図３】第３実施形態に係るハンドマスクの概略図。
【図４】第４実施形態に係るハンドマスクの概略図。
【図５】第５実施形態に係るハンドマスクの概略図。
【図６】第６実施形態に係るハンドマスクの概略図。
【図７】第７実施形態に係るハンドマスクの概略図。
【図８】第８実施形態に係るハンドマスクの概略図。
【図９】第９実施形態に係るハンドマスクの概略図。
【図１０】第１０実施形態に係るハンドマスクの概略図。
【図１１】第１１実施形態に係るハンドマスクの概略図。
【発明を実施するための形態】
【００２６】
以下、本発明の好適な実施形態について、図面を参照しつつ説明する。
【００２７】
＜１．第１実施形態＞
図１には、第１実施形態に係るハンドマスク１００の概略図が示されている。このハンドマスク１００は、手袋部１を備える。
【００２８】
手袋部１は、五指の指先（少なくとも爪の全体を含む。例えば、爪先から爪の根元までの部分であってもよいし、爪先から第１関節までの部分であってもよい。）を除く部分と手の甲と手の平とを包む形状から成る。また、手袋部１は、保液性を有する素材（具体的には例えば、不織布、紙、脱脂綿、等）によって形成されており、液体Ｌを染みこませることができるようになっている。手袋部１に染みこませる液体Ｌは、例えば、美容効果や薬用効果を有する各種の液体（具体的には例えば、美容料、化粧料、薬剤）等である。
【００２９】
ハンドマスク１００は、手袋部１に液体Ｌが染みこんだ状態で販売されてもよいし、手袋部１に液体Ｌが染みこんでいない状態で販売されてもよい。前者の場合、使用者が手袋部１に液体Ｌを染みこませる作業を行う必要がないという利点がある。一方、後者の場合は、ハンドマスク１００の使用時に使用者が当該作業を行う必要があるが、この場合は、使用者が自分の好きな液体Ｌを手袋部１に染みこませることができるという利点がある。
【００３０】
ハンドマスク１００の使用者は、美容効果や薬用効果等を有する液体Ｌが染みこんだ手袋部１を手にはめて、手袋部１に染みこんだ液体Ｌを手肌に接触させ、その状態をしばらく維持する。これによって、高いスキンケア効果等を期待できる。
特に、ハンドマスク１００においては、手袋部１が、指先を露出させる形状となっている。したがって、液体Ｌが染みこんだ手袋部１を手にはめた状態の待ち時間において、使用者は指先を自由に使うことができる。例えば、使用者は、当該待ち時間に、爪につけ爪やマニキュア等を施したり、携帯情報端末のタッチパネル等を操作することができる。このように、ハンドマスク１００によると、使用者が、当該待ち時間を有効に利用することができる。これによって、使用者が、ストレスを感じること無く手肌のスキンケア等を行うことができる。
【００３１】
＜２．第２実施形態＞
図２には、第２実施形態に係るハンドマスク２００の概略図が示されている。このハンドマスク２００は、手袋部２を備える。
【００３２】
手袋部２は、五指の指先までの全体と手の甲と手の平とを包む形状から成る。この手袋部２においては、指を覆う部分の途中に、該指を覆う部分の周方向に沿って形成された、該指の指先（少なくとも爪の全体を含む。例えば、爪先から爪の根元までの部分であってもよいし、爪先から第１関節までの部分であってもよい。）を包む部分を切り取るための切り取り線２０１が形成されている。切り取り線２０１は、具体的には例えば、ミシン目（連続した小孔）、折り目、厚み方向の途中まで入った切れ目、切り込み、他の部分よりも厚みを薄くした薄肉部、等によって実現される。また、手袋部２は、上述した手袋部１と同様、保液性を有する素材によって形成されており、液体Ｌを染みこませることができるようになっている。
【００３３】
ハンドマスク２００は、上述したハンドマスク２００と同様、手袋部２に液体Ｌが染みこんだ状態で販売されてもよいし、手袋部２に液体Ｌが染みこんでいない状態で販売されてもよい。
【００３４】
ハンドマスク２００の使用者は、美容効果や薬用効果等を有する液体Ｌが染みこんだ手袋部２を手にはめて、手袋部２に染みこんだ液体Ｌを手肌に接触させ、その状態をしばらく維持する。これによって、高いスキンケア効果等を期待できる。
特に、ハンドマスク２００においては、手袋部２に切り取り線２０１が形成されており、使用者が、手袋部２に液体Ｌを染みこませた後、あるいは、手袋部２に液体Ｌを染みこませる前に、切り取り線２０１に沿って指先を包む部分を切り取ることによって、指先を露出させることができる。したがって、液体Ｌが染みこんだ手袋部２を手にはめた状態の待ち時間において、使用者は指先を自由に使うことができ、当該待ち時間を有効に利用することができる。これによって、使用者が、ストレスを感じること無く手肌のスキンケア等を行うことができる。
【００３５】
＜３．第３実施形態＞
図３には、第３実施形態に係るハンドマスク１００ａ，２００ａの概略図が示されている。図３（ａ）に示されるハンドマスク１００ａは、手袋部１と外装部１１とを備える。また、図３（ｂ）に示されるハンドマスク２００ａは、手袋部２と外装部２１とを備える。手袋部１，２の各構成は、上述した通りである。
【００３６】
外装部１１は、手袋部１の外側に配設され、手袋部１と略同一の形状（すなわち、五指の指先を除く部分と手の甲と手の平とを包む形状）から成る。また、外装部１１は、防液性を有する素材（具体的には、例えば、ビニル等）によって形成されている。
【００３７】
外装部２１は、手袋部２の外側に配設され、手袋部２と略同一の形状（すなわち、五指の指先までの全体と手の甲と手の平とを包む形状）から成る。また、外装部２１においては、手袋部２の切り取り線２０１と重なる位置に、切り取り線（外装側切り取り線）２１１が形成されている。外装側切り取り線２１１も、上述した切り取り線２０１と同様、ミシン目、折り目、厚み方向の途中まで入った切れ目、切り込み、他の部分よりも厚みを薄くした薄肉部、等によって実現される。また、外装部２１も、外装部１１と同様、防液性を有する素材によって形成されている。
【００３８】
ハンドマスク１００ａ，２００ａにおいては、手袋部１，２の外側に、防液性を有する素材によって形成された外装部１１，２１が配設されるので、手袋部１，２に染みこませた液体Ｌが揮発し難くい。したがって、当該液体Ｌを手肌に十分に接触させることが可能となり、特に高いスキンケア効果等を期待できる。
【００３９】
＜４．第４実施形態＞
図４には、第４実施形態に係るハンドマスク１００ｂ，２００ｂの概略図が示されている。図４（ａ）に示されるハンドマスク１００ｂは、手袋部１ｂと外装部１１ｂとを備える。また、図４（ｂ）に示されるハンドマスク２００ｂは、手袋部２ｂと外装部２１ｂとを備える。
【００４０】
手袋部１ｂ，２ｂは、以下の点において上述した手袋部１，２と相違する。すなわち、手袋部１ｂ，２ｂには、指を覆う部分（ただし、手袋部２ｂにおいては、切り取り線２０１よりも指の根元側）に、蛇腹部３が形成されている。この蛇腹部３は、具体的には、これを最大に伸ばすと比較的長い指の使用者の爪先までを覆う長さになり、これを最大に縮めると比較的短い指の使用者の指先を露出させる長さになることが好ましい。
【００４１】
外装部１１ｂ，２１ｂは、以下の点において上述した外装部１１，２１と相違する。すなわち、外装部１１ｂ、２１ｂには、手袋部１ｂ，２ｂと同様、指を覆う部分（ただし、外装部２１ｂにおいては、外装側切り取り線２１１よりも指の根元側）に、蛇腹部（外装側蛇腹部）３１が形成されている。外装側蛇腹部３１の山部および谷部は、手袋部１ｂ，２ｂの蛇腹部３の山部および谷部と重なる位置に形成されていて、重なり合った蛇腹部３，３１が一体に伸縮できるようになっている。
【００４２】
このハンドマスク１００ｂ，２００ｂにおいては、手袋部１ｂ，２ｂおよび外装部１１ｂ，２１ｂに蛇腹部３，３１が形成されるので、手袋部１ｂ，２ｂおよび外装部１１ｂ，２１ｂが指を覆う部分の長さ（すなわち、指先を露出させる長さ）を、使用者が自由に調整することができる。また、このハンドマスク１００ｂ，２００ｂによると、指の長さが異なる様々な使用者に対応することができる。
【００４３】
なお、ハンドマスク１００ｂ，２００ｂにおいては、外装部１１ｂ，２１ｂは必須ではなく、ハンドマスク１００ｂ，２００ｂは手袋部１ｂ，２ｂのみから構成されてもよい。
【００４４】
＜５．第５実施形態＞
図５には、第５実施形態に係るハンドマスク１００ｃ、２００ｃの概略図が示されている。図５（ａ）に示されるハンドマスク１００ｃは、手袋部１ｃと外装部１１ｃとを備える。また、図５（ｂ）に示されるハンドマスク２００ｃは、手袋部２ｃと外装部２１ｃとを備える。
【００４５】
手袋部１ｃ，２ｃは、以下の点において上述した手袋部１，２と相違する。すなわち、手袋部１ｃ，２ｃには、手首側から指先側に亘って、取り外し用切り取り線４が形成されている。取り外し用切り取り線４は、具体的には例えば、ミシン目（連続した小孔）、折り目、厚み方向の途中まで入った切れ目、切り込み、他の部分よりも厚みを薄くした薄肉部、等によって実現される。なお、図示の例では、取り外し用切り取り線４は、小指を覆う部分に沿って形成されているが、取り外し用切り取り線４の形成位置は、必ずしもこれに限られるものではなく、例えば親指を覆う部分に沿って形成されてもよい。また、取り外し用切り取り線４は複数本形成されてもよい。例えば、小指を覆う部分に沿って第１の取り外し用切り取り線４が形成されるとともに、親指を覆う部分に沿って第２の取り外し用切り取り線４が形成されてもよい。
【００４６】
外装部１１ｃ，２１ｃは、以下の点において上述した外装部１１，２１と相違する。すなわち、外装部１１ｃ，２１ｃには、手袋部１ｃ，２ｃの取り外し用切り取り線４と重なる位置に、取り外し用切り取り線（外装側取り外し用切り取り線）４１が形成されている。外装側取り外し用切り取り線４１も、取り外し用切り取り線４と同様、ミシン目、折り目、厚み方向の途中まで入った切れ目、切り込み、他の部分よりも厚みを薄くした薄肉部、等によって実現される。
【００４７】
ハンドマスク１００ｃ，２００ｃにおいては、取り外し用切り取り線４，４１に沿って手袋部１ｃ，２ｃおよび外装部１１ｃ，２１ｃをそれぞれ切ることによって、手袋部１ｃ，２ｃおよび外装部１１ｃ，２１ｃを手から取り外すことができる。したがって、液体Ｌが染みこんだ手袋部１ｃ，２ｃを手にはめた状態の待ち時間に、爪につけ爪やマニキュア等を施した場合に、つけ爪やマニキュアに手袋部１ｃ，２ｃおよび外装部１１ｃ，２１ｃを触れさせることなく、これらを外すことができる。
【００４８】
なお、ハンドマスク１００ｃ，２００ｃにおいては、外装部１１ｃ，２１ｃは必須ではなく、ハンドマスク１００ｃ，２００ｃは手袋部１ｃ，２ｃのみから構成されてもよい。
【００４９】
＜６．第６実施形態＞
図６には、第６実施形態に係るハンドマスク１００ｄ，２００ｄの概略図が示されている。図６（ａ）に示されるハンドマスク１００ｄは、手袋部１ｄを備える。また、図６（ｂ）に示されるハンドマスク２００ｄは、手袋部２ｄを備える。
【００５０】
手袋部１ｄ，２ｄは、以下の点において上述した手袋部１，２と相違する。すなわち、手袋部１ｄ，２ｄにおいては、手の平、あるいは、手の甲を覆う部分の例えば中央に、例えば円形の開口部５が形成されている。なお、開口部５の形成位置は、必ずしも手の平、あるいは、手の甲を覆う部分である必要はなく、例えば指を覆う部分であってもよい。また、開口部５の個数は１個に限らず、複数個であってもよい。また、開口部５は、１つの孔により形成されてもよいし、複数の孔（例えば、無数の微小孔）の集合により形成されてもよい。
【００５１】
ハンドマスク１００ｄ，２００ｄにおいては、手袋部１ｄ，２ｄにおける、手の平、あるいは、手の甲を覆う部分に開口部５が形成されている。したがって、使用者は、例えば、手袋部１ｄ，２ｄを、開口部５が手の平の側にくるような格好で手にはめて、液体Ｌを手の平に取って手を揉むことによって、当該液体Ｌを、開口部５を介して手肌の全体に接触させるとともに、手袋部１ｄ，２ｄに染み渡らせることができる。
【００５２】
＜７．第７実施形態＞
図７には、第７実施形態に係るハンドマスク１００ｅ，２００ｅの概略図が示されている。図７（ａ）に示されるハンドマスク１００ｅは、手袋部１ｅを備える。また、図７（ｂ）に示されるハンドマスク２００ｅは、手袋部２ｅを備える。
【００５３】
手袋部１ｅ，２ｅは、以下の点において上述した手袋部１，２と相違する。すなわち、手袋部１ｅ，２ｅにおいては、Ｌ字状、あるいは、Ｕ字状の切り込み６が形成されている。切り込み６は、好ましくは、手の平を覆う部分の中央を部分的に囲むように形成されている。図では、手首側から真っ直ぐのびて、手の平を覆う部分の中央を部分的に囲むように曲がって、小指側に到達するような、Ｌ字状の切り込み６が例示されている。
【００５４】
ハンドマスク１００ｅ，２００ｅにおいては、手袋部１ｅ，２ｅに切り込み６が形成されている。したがって、使用者は、例えば、手袋部１ｅ，２ｅを手にはめて切り込み６で囲まれた部分をめくることによって、手肌を部分的に手袋部１ｅ，２ｅから露出させることができ、そこから液体Ｌを注入して、当該液体Ｌを手肌の全体に接触させるとともに、手袋部１ｅ，２ｅに染み渡らせることができる。特に、切り込み６が、手の平を覆う部分の中央を部分的に囲むように形成されている場合、手の平の中央部分を露出させることができるので、液体Ｌを手の平に取って手を揉むことによって、当該液体Ｌを手肌の全体に接触させるとともに、手袋部１ｅ，２ｅに染み渡らせることができる。また、液体Ｌを手袋部１ｅ，２ｅに染みこませた後は、めくった部分を再び元の位置に戻すことで、露出した手肌の部分を再び手袋部１ｅ，２ｅで覆うことができる。
【００５５】
なお、この構成に係る手袋部１ｅ，２ｅにおいては、切り込み６によってめくり上げられる部分の端部付近に、係止用切り込み６０１を形成しておくことも好ましい。この構成によると、液体Ｌを手袋部１ｅ，２ｅに染みこませた後、めくった部分を再び元の位置に戻し、さらに、当該めくった部分を伸ばして係止用切り込み６０１を指（図示の例では、親指）に引っ掛けておくことによって、切り込み６からのめくれ上がりを防止できる（図の一点鎖線）。
【００５６】
＜８．第８実施形態＞
図８には、第８実施形態に係るハンドマスク１００ｆ，２００ｆの概略図が示されている。図８（ａ）に示されるハンドマスク１００ｆは、手袋部１と外装部１１ｆとを備える。また、図８（ｂ）に示されるハンドマスク２００ｆは、手袋部２と外装部２１ｆとを備える。手袋部１，２の各構成は、上述した通りである。
【００５７】
外装部１１ｄ，２１ｄは、以下の点において上述した外装部１１，２１と相違する。すなわち、外装部１１ｄ，２１ｄにおいては、手の平、あるいは、手の甲を覆う部分の例えば中央に、例えば円形の開口部（外装側開口部）５１が形成されている。なお、外装側開口部５１の形成位置は、必ずしも手の平、あるいは、手の甲を覆う部分である必要はなく、例えば指を覆う部分であってもよい。また、外装側開口部５１の個数は１個に限らず、複数個であってもよい。また、外装側開口部５１は、１つの孔により形成されてもよいし、複数の孔（例えば、無数の微小孔）の集合により形成されてもよい。
【００５８】
ハンドマスク１００ｆ，２００ｆにおいては、外装部１１ｆ，２１ｆにおける、手の平、あるいは、手の甲を覆う部分に外装側開口部５１が形成されている。したがって、使用者は、例えば、外装部１１ｆ、２１ｆが外側に配設された手袋部１，２を、外装側開口部５１が手の平の側にくるような格好で手にはめて、液体Ｌを手の平に取って手を揉むことによって、当該液体Ｌを、外装側開口部５１を介して手袋部１，２に染みませることができる。あるいは、使用者は、例えば、当該手袋部１，２を手にはめずに、液体Ｌを外装側開口部５１から注入することによって、当該液体Ｌを、外装開口部５１を介して手袋部１，２に染みこませることもできる。
【００５９】
＜９．第９実施形態＞
図９には、第９実施形態に係るハンドマスク１００ｇ，２００ｇの概略図が示されている。図９（ａ）に示されるハンドマスク１００ｇは、手袋部１と外装部１１ｇとを備える。また、図９（ｂ）に示されるハンドマスク２００ｇは、手袋部２と外装部２１ｇとを備える。手袋部１，２の各構成は、上述した通りである。
【００６０】
外装部１１ｇ，２１ｇは、以下の点において上述した外装部１１，２１と相違する。すなわち、外装部１１ｇ，２１ｇにおいては、Ｌ字状、あるいは、Ｕ字状の切り込み（外装側切り込み）６１が形成されている。外装側切り込み６１は、好ましくは、手の平を覆う部分の中央を部分的に囲むように形成されている。図では、手首側から真っ直ぐのびて、手の平を覆う部分の中央を部分的に囲むように曲がって、小指側に到達するような、Ｌ字状の外装側切り込み６１が例示されている。
【００６１】
ハンドマスク１００ｇ，２００ｇにおいては、外装部１１ｇ，２１ｇに外装側切り込み６１が形成されている。したがって、使用者は、例えば、外装部１１ｇ，２１ｇが外側に配設された手袋部１，２を手にはめて外装側切り込み６１で囲まれた部分をめくることによって、手袋部１，２を部分的に外装部１１ｇ，２１ｇから露出させることができ、そこから液体Ｌを手袋部１，２に染みこませることができる。特に、外装側切り込み６１が、手の平を覆う部分の中央を部分的に囲むように形成されている場合、手袋部１，２における当該中央部分を露出させることができるので、当該液体Ｌを手の平に取って手を揉むことによって、当該液体Ｌを手袋部１，２に染みこませることができる。また、液体Ｌを手袋部１，２に染みこませた後は、めくった部分を再び元の位置に戻すことで、手袋部１，２に染みこませた液体Ｌが揮発することを防止できる。
【００６２】
なお、この構成に係る外装部１１ｇ，２１ｇにおいては、外装側切り込み６１の周縁であって、好ましくは、外装側切り込み６１によってめくり上げられる部分の端部付近に、係止帯６１１の両端が固着されていることも好ましい。この係止帯６１１は、例えば、伸縮性のある紐やゴム等により形成することができる。この構成によると、液体Ｌを手袋部１，２に染みこませた後、めくった部分を再び元の位置に戻し、さらに、当該係止帯６１１を指（図示の例では、親指）に引っ掛けておくことによって、外装側切り込み６１１からのめくれ上がりを防止できる。
【００６３】
＜１０．第１０実施形態＞
図１０には、第１０実施形態に係るハンドマスク１００ｈ，２００ｈの概略図が示されている。図１０（ａ）に示されるハンドマスク１００ｈは、手袋部１と外装部１１ｈとを備える。また、図９（ｂ）に示されるハンドマスク２００ｈは、手袋部２と外装部２１ｈとを備える。手袋部１，２の各構成は、上述した通りである。ただし、この実施形態では、ハンドマスク１００ｈ，２００ｈの製造者が、その製造時に、手袋部１，２に液体Ｌを染みこませる。つまり、ハンドマスク１００ｈ，２００ｈは、手袋部１，２に液体Ｌが染みこんだ状態で販売される。
【００６４】
外装部１１ｈ，２１ｈは、以下の点において上述した外装部１１，２１と相違する。すなわち、外装部１１ｈ，２１ｈには、その開口端部を閉じる閉鎖部（具体的には、外装部１１ｈ，２１ｈにおける手首側の開口端部を閉じる閉鎖部７、および、外装部１１ｈにおける指先側の開口端部を閉じる閉鎖部７１）が形成されている。各閉鎖部７，７１は、具体的には例えば、外装部１１ｈ，２１ｈに手袋部１，２（液体Ｌを染みこませた手袋部１，２）が内挿された状態で、当該開口端部を接着することによって形成される。接着の態様はどのようなものであってもよく、例えば、溶着、圧着、接着剤や粘着剤等を用いた接着等を採用できる。なお、閉鎖部７，７１の傍であって、手の平を覆う側の領域には、閉鎖部７，７１を切り取るための切り取り線７０が形成されることが好ましい。
【００６５】
ハンドマスク１００ｈ，２００ｈにおいては、手袋部１，２を覆う外装部１１ｈ，２１ｈにおいて、開口端部が閉鎖部７によって閉じられており、使用者が、ハンドマスク１００ｈ，２００ｈを使用する際に、閉鎖部７，７１を破って（閉鎖部７の傍に切り取り線７０が形成されている場合は、これに沿って閉鎖部７，７１を切り取って）、手袋部１，２（すなわち、外装部１１ｈ，２１ｈｇが外側に配設された手袋部１，２）を手にはめる。この構成によると、使用者がハンドマスク１００ｈ，２００ｈを使用するまでに手袋部１，２に染みこませた液体Ｌが揮発してしまうことがない。
【００６６】
＜１１．第１１実施形態＞
図１１には、第１１実施形態に係るハンドマスク１００ｉ，２００ｉの概略図が示されている。図１１（ａ）に示されるハンドマスク１００ｉは、手袋部１ｉを備える。また、図１１（ｂ）に示されるハンドマスク２００ｉは、手袋部２ｉを備える。
【００６７】
手袋部１ｉ，２ｉは、以下の点において上述した手袋部１，２と相違する。すなわち、手袋部１ｉ，２ｉは、液体Ｌを染みこませる前の段階（乾燥状態）において、圧縮成形されて、例えばタブレット状になっている。この手袋部１ｉ，２ｉは、液体Ｌの浸透により圧縮回復して、定められた形状（すなわち、手袋部１ｉの場合は五指の指先を除く部分と手の甲と手の平とを包む形状、手袋部２ｉの場合は五指の指先までの全体と手の甲と手の平とを包む形状）となる。
【００６８】
このハンドマスク１００ｉ，２００ｉにおいては、手袋部１ｉ，２ｉが乾燥状態において、タブレット状に圧縮成形されているので、持ち運びに便利である。
【００６９】
＜１２．その他の実施形態＞
上記の各実施形態に係るハンドマスク１００，１００ａ〜ｉ，２００，２００ａ〜ｉにおいては、手袋部１，１ｂ〜ｅ，１ｉ，２，２ｂ〜ｅ，２ｉ（および、これを覆う外装部１１，１１ｂ〜ｃ，１１ｆ〜ｈ，２１，２１ｂ〜ｃ，２１ｆ〜ｈ）が、５本の指のそれぞれを別個に包む形状であったが、複数本の指をまとめて包む形状であってもよい。例えば、親指以外の４本の指をまとめて包む形状（所謂、ミトン状）であってもよい。
【００７０】
また、第３実施形態に係るハンドマスク１００ａ，２００ａにおいて、手袋部１，２の外側面と外装部１１，２１の内側面とが、全体的に（あるいは、部分的に）接着されることにより、手袋部１，２と外装部１１，２１とが一体化されていてもよい。例えば、保液性を有する素材によって形成された層と防液性を有する素材によって形成された層が互いに接着された二層構造のシート（例えば、ユニ・チャーム株式会社製の、ポリオレフィンとパルプの二層構造シート（商品名「フレッシュマスター  魚・肉のための保鮮シート」）を、所定の形状（五指の指先を除く部分と手の甲と手の平とを包む形状、あるいは、五指の指先までの全体と手の甲と手の平とを包む形状）に成形してもよい。第４〜第５，第８〜第１０の各実施形態に係るハンドマスク１００ｂ〜ｃ，２００ｂ〜ｃ，１００ｆ〜ｉ，２００ｆ〜ｉにおいても同様である。
【００７１】
また、第５実施形態に係るハンドマスク１００ｃ，２００ｃにおいて、５本の指のそれぞれに沿うような取り外し用切り取り線４，４１がさらに形成されてもよい。具体的には、手首側から親指の指先側（あるいは、小指の指先側、あるいは、親指および小指の各指先側）に亘って取り外し用切り取り線４，４１が形成されるとともに、各指の指先から当該指の側面に沿い、指と指の間の谷の部分を通って、隣の指の側面に沿って当該指の指先に至るような取り外し用切り取り線４，４１が形成されてもよい。
この構成によると、取り外し用切り取り線４，４１に沿って手袋部１ｃ，２ｃおよび外装部１１ｃ，２１ｃをそれぞれ切ることによって、手袋部１ｃ，２ｃおよび外装部１１ｃ，２１ｃのそれぞれを一枚の平面状に開く（あるいは、手の表側を覆う部分と手の裏側を覆う部分とに分離させる）ことができる。したがって、指先に手袋部１ｃ，２ｃおよび外装部１１ｃ，２１ｃを一切触れさせることなく、これらを外すことができる。
【００７２】
また、第５実施形態に係るハンドマスク１００ｃ，２００ｃにおいて、手首側からいずれかの指（例えば、中指）の指先側に亘って、平行に延在する二本の取り外し用切り取り線４，４１が形成されてもよい。この場合、当該二本の取り外し用切り取り線４，４１の間隔はあまり広くない（好ましくは、0.5cm〜3.0cm程度である）ことが好ましい。
この構成によると、二本の取り外し用切り取り線４，４１に囲まれる帯状部分をその延在方向に沿って引っ張って、二本の取り外し用切り取り線４，４１に沿って当該帯状部分を切り取ることによって、手袋部１ｃ，２ｃおよび外装部１１ｃ，２１ｃを簡単に外すことができる。なお、このような平行に延在する二本の取り外し用切り取り線４，４１は、手首側から５本の指全ての各指先側に亘って形成されてもよい。
【００７３】
また、第３〜第１１の実施形態に係る各ハンドマスク２００ａ〜ｉにおいて、切り取り線２０１，２１１は必須ではない。
【００７４】
また、上記の各実施形態に係るハンドマスク１００，１００ａ〜ｉ，２００，２００ａ〜ｉは、適宜に組み合わされて構成されてもよい。
【符号の説明】
【００７５】
１００，１００ａ〜ｉ  ハンドマスク
１，１ｂ〜ｅ，１ｉ，２，２ｂ〜ｅ，２ｉ  手袋部
１１，１１ｂ〜ｃ，１１ｆ〜ｈ，２１，２１ｂ〜ｃ，２１ｆ〜ｈ  外装部
２１  切り取り線
２１１  外装側切り取り線
３  蛇腹部
３１  外装側蛇腹部
４  取り外し用切り取り線
４１  外装部側取り外し用切り取り線
５  開口部
５１  外装側開口部
６  切り込み
６０１  係止用切り込み
６１  外装部側切り込み
６１１  係止帯
７，７１  閉鎖部
Ｌ  液体
【図１】
0006277562.tif 000002
【図２】
0006277562.tif 000003
【図３】
0006277562.tif 000004
【図４】
0006277562.tif 000005
【図５】
0006277562.tif 000006
【図６】
0006277562.tif 000007
【図７】
0006277562.tif 000008
【図８】
0006277562.tif 000009
【図９】
0006277562.tif 000010
【図１０】
0006277562.tif 000011
【図１１】
0006277562.tif 000012